(57)【特許請求の範囲】
【請求項１】
装着者の咬合状態を記録するための咬合採得用義歯において、
前記装着者から採取した印象模型に基づいて形成された硬化状態の基礎床と、
前記基礎床に設けられ、欠損歯牙に対応させて配置された熱軟化性の突起部を有する咬合部とを備え、
前記咬合部は、前記基礎床の歯列位置に配置された支持部と、前記突起部として、前記支持部により立設された歯牙を模した擬似歯とを備え、
前記擬似歯は、歯冠部が剣山のような凹凸状に形成された咬合採得用義歯。
【請求項２】
装着者の咬合状態を記録するための咬合採得用義歯において、
前記装着者から採取した印象模型に基づいて形成された硬化状態の基礎床と、
前記基礎床に設けられ、欠損歯牙に対応させた配置された軟化状態の突起部を有する咬合部とを備え、
前記咬合部は、前記基礎床の歯列位置に配置された支持部と、前記突起部として、前記支持部により立設された歯牙を模した擬似歯とを備え、
前記擬似歯は、歯冠部が剣山のような凹凸状に形成された咬合採得用義歯。
【請求項３】
前記擬似歯は、前記支持部より軟化性が高い請求項１または２記載の咬合採得用義歯。
【請求項４】
前記擬似歯と前記支持部とは、異なる色により形成されている請求項１から３のいずれかの項に記載の咬合採得用義歯。
【発明の詳細な説明】
【技術分野】
【０００１】
本発明は、装着者が装着する義歯の咬合状態を採取するための咬合採得用義歯に関するものである。
【背景技術】
【０００２】
歯科医師および歯科技工士が義歯を作製するときには、まず、咬合採得用義歯が作製される。この咬合採得用義歯は、最初に、歯科医師が、歯牙が欠損した部分の印象模型を装着者となる患者から採取する。次に、歯科技工士が、この印象模型からレジンによる基礎床を成形し、この基礎床にパラフィンワックスにより形成された咬合堤を配置して、咬合床を作製する。この咬合床が咬合採得用義歯である。
そして、歯科医師が、咬合採得用義歯を患者に装着させ、咬合堤を溶融させながら、患者に噛み合わせをさせて、咬合堤に、咬合平面や正中、咬合高径、人工歯の配列位置などの咬合状態を記録する。
咬合採得用義歯に咬合状態が記録されると、歯科技工士がこの記録に基づいて、咬合堤を削り取りながら、または咬合堤を溶融させ、余分なパラフィンワックスを除去し、歯牙を象った人工歯を配列し、フラスコ枠内に充填された石膏に埋没させる。石膏が固化すると、この石膏を鋳型として、歯科技工士が咬合堤および基礎床を加熱することで取り出して、代わりにレジンを充填する。そして、レジンが固化して、鋳型を型開きすれば、義歯が完成する。
【０００３】
義歯は、事前に作製される咬合採得用義歯により咬合状態を正確に採取することが重要である。このような咬合採得用義歯について、特許文献１〜３に記載されたものが知られている。
【０００４】
特許文献１に記載の「歯列位置決め用ダミー」は、口腔内の上顎及び下顎に適合可能な所望形状に形成した義歯床上に変形可能なシート状ダミーを当接し、このシート状ダミーを用いて人工歯の形状やサイズを計測したり、噛み合わせを調整したりすることができるようにしたものである。
【０００５】
特許文献２に記載の「人工歯排列用前歯部位表示シール」は、長方形のシールの表面に、図形化した前歯歯冠部の歯列を、余白部を残して印記したもので、シールの裏面を接着面とし、剥離紙が貼付されているものである。
【０００６】
特許文献３に記載の「義歯作製用フィット治具及び義歯作製方法」は、上顎前歯の標準的な前面形状を形取った合計六本の薄肉状ダミー歯が一体化された義歯作製用フィット治具を、プラスチック素材から形成し、咬合床のろう提の適正位置に固定したり、チェックバイトの適正位置に固定したり、支台歯に固定したりすることで、正中や、咬合平面や、水平被蓋が、歯科医師から歯科技工士に正確に伝達されるようにしたものである。
【先行技術文献】
【特許文献】
【０００７】
【特許文献１】特開２００２−１６５８１０号公報
【特許文献２】特開２００４−８４８７号公報
【特許文献３】特開２００２−３３０９８１号公報
【発明の概要】
【発明が解決しようとする課題】
【０００８】
特許文献１に記載の「歯列位置決め用ダミー」は、シート状ダミーを義歯床に当接し、鉛筆等の手段で計測した通りの形状に沿って印を付したのち、カッター類等の適当な手段で切断するとあるが、シート状ダミーに印を付けるのは煩雑である。また、シート状ダミーは、口腔内の奥に位置する臼歯には印を付け難いため適用し難い。
【０００９】
また、特許文献２に記載の「人工歯排列用前歯部位表示シール」は、歯科医が咬合採得をした際に、蝋提表面に、歯冠形状のシールを貼付するため、蝋堤を修正して咬合採得す作業は以前と変わらない。
【００１０】
更に、特許文献３に記載の「義歯作製用フィット治具及び義歯作製方法」では、一番しっかり噛める位置で噛み合せできるようにワックスを修正した後に、フィット治具を口腔内に入れ、正中や咬合平面や水平被蓋が適正になる位置に調整して、フィット治具を上顎咬合床の蝋提の前面に固定しているため、蝋堤を修正する咬合採得する作業は以前と変わらない。
【００１１】
そこで本発明は、効率よく咬合採得が実施でき、前歯でも臼歯でも適用することができると共に、総義歯でも部分義歯でも適用することができる咬合採得用義歯を提供することを目的とする。
【課題を解決するための手段】
【００１２】
本発明の咬合採得用義歯は、装着者の咬合状態を記録するための咬合採得用義歯において、前記装着者から採取した印象模型に基づいて形成された硬化状態の基礎床と、前記基礎床に設けられ、欠損歯牙に対応させて配置された熱軟化性の突起部を有する咬合部とを備え、前記咬合部は、前記基礎床の歯列位置に配置された支持部と、前記突起部として、前記支持部により立設された歯牙を模した擬似歯とを備え、前記擬似歯は、歯冠部が剣山のような凹凸状に形成されたことを特徴とする。
【００１３】
この発明によれば、欠損歯牙に対応させて配置された熱軟化性の突起部が咬合部に形成されているため、突起部は、従来、平面であった咬合堤の咬合面と比較して、加熱されやすく軟化しやすいので、加熱すればすぐに咬合状態を咬合部に記録させることができる。従って、歯科医師は、患者への咬合採得をすぐに実施することができる。
【００１４】
また、本発明の咬合採得用義歯は、装着者の咬合状態を記録するための咬合採得用義歯において、前記装着者から採取した印象模型に基づいて形成された硬化状態の基礎床と、前記基礎床に設けられ、欠損歯牙に対応させた配置された軟化状態の突起部を有する咬合部とを備え、前記咬合部は、前記基礎床の歯列位置に配置された支持部と、前記突起部として、前記支持部により立設された歯牙を模した擬似歯とを備え、前記擬似歯は、歯冠部が剣山のような凹凸状に形成されたことを特徴とする。
【００１５】
この発明によれば、欠損歯牙に対応させて配置された軟化状態の突起部が咬合部に形成されているため、突起部はそのままの状態で咬合状態を咬合部に記録させることができる。従って、歯科医師は、患者への咬合採得をすぐに実施することができる。
【００１６】
前記咬合部が、前記基礎床に配置された支持部と、前記突起部として、前記支持部により立設された歯牙を模した擬似歯とを備えている。咬合部が歯牙を模した擬似歯を備えていることにより、擬似歯が突起部として出っ張っており、隣接する擬似歯との間に凹部があるため、擬似歯の歯冠部は加熱されやすく軟化しやすい。また、装着者は、義歯を装着したときの様子を、容易に想定することができる。
【００１８】
前記咬合部は、前記基礎床に配置された咬合堤の咬合面の一部または全部に、前記突起部として、連続的に凹凸部が形成されているのが望ましい。咬合堤に凹凸部が形成されていると、凹凸部は加熱されやすく軟化しやすい。
【００１９】
前記咬合部は、前記突起部が形成された第１部分と、前記第１部分を支持する第２部分とを備え、前記第１部分は、前記第２部分より軟化性が高いと、突起部が形成された第２部分は、更に軟化させやすいため、効果的に、咬合状態を記録することができる。
【００２０】
前記第１部分は前記咬合面側に形成され、前記第２部分は前記基礎床側に形成されていると、軟化させやすい第２部分を、第１部分により下支えさせることができる。
【００２１】
前記第１部分は口腔内側に形成され、前記第２部分は口腔外側に形成されていると、歯科医師が、第１部分より硬度のある第２部分に咬合状態を印記することで、歯科医師は、第２部分に、しっかりとした正確な印記することができる。
【００２２】
前記第１部分と前記第２部分とは、異なる色により形成されていると、歯科医師は、軟化性の高い部分を一目で判別することができる。
【００２３】
前記咬合部の唇側に目盛りが形成されていると、患者の正中のずれや、上顎または下顎の噛み合わせの傾斜を一目で把握することができる。
【００２４】
本発明の咬合採得用義歯には装着者から採取した印象模型に基づいて形成された基礎床に立設され、欠損歯牙に対応させて配置された熱軟化性を有する擬似歯を使用することができる。
【００２５】
本発明の義歯の製造方法は、装着者から採取した印象模型に基づいて基礎床を形成する工程と、前記基礎床に、欠損歯牙に対応させて配置された熱軟化性の突起部を有する咬合部を設け、前記装着者の咬合状態を記録するための咬合採得用義歯を作製する工程と、前記装着者の咬合状態を、加熱により軟化状態にした前記咬合部に転写して記録した咬合採得用義歯に基づいて人工歯を配置する工程と、前記人工歯が配置された咬合採得用義歯の前記咬合部を溶融させて空隙を形成し、前記空隙に成形用樹脂を充填して義歯床を成形する工程とを含むことを特徴とする。
【００２６】
また、本発明の義歯の製造方法は、装着者から採取した印象模型に基づいて基礎床を形成する工程と、前記基礎床に、欠損歯牙に対応させて配置された軟化状態の突起部を有する咬合部を設け、前記装着者の咬合状態を記録するための咬合採得用義歯を作製する工程と、前記装着者の咬合状態を、前記軟化状態の咬合部に転写して記録した咬合採得用義歯に基づいて人工歯を配置する工程と、前記人工歯が配置された咬合採得用義歯の前記咬合部を溶融させて空隙を形成し、前記空隙に成形用樹脂を充填して義歯床を成形する工程とを含むことを特徴とする。
この製造方法により、義歯を作製することにより、装着者にフィットした義歯を得ることができる。
【００２７】
更に、本発明の義歯の製造方法は、装着者から採取した印象模型に基づいて基礎床を形成する工程と、前記基礎床に配置された支持部と、前記支持部により立設された歯牙を模した擬似歯とを備えた熱軟化性の咬合部を、欠損歯牙に対応させて配置して、前記装着者の咬合状態を記録するための咬合採得用義歯を作製する工程と、前記装着者の咬合状態を、加熱により軟化状態にした前記咬合部に転写して記録した咬合採得用義歯から、前記基礎床、前記支持部および前記擬似歯を溶融させて空隙を形成し、前記空隙に成形用樹脂を充填して、前記基礎床および前記支持部を義歯床とし、前記擬似歯を人工歯とした義歯を一体成形する工程とを含むことを特徴とする。
【００２８】
また、本発明の義歯の製造方法は、装着者から採取した印象模型に基づいて基礎床を形成する工程と、前記基礎床に配置された支持部と、前記支持部により立設された歯牙を模した擬似歯とを備えた軟化状態の咬合部を、欠損歯牙に対応させて配置して、前記装着者の咬合状態を記録するための咬合採得用義歯を作製する工程と、前記装着者の咬合状態を、前記軟化状態の咬合部に転写して記録した咬合採得用義歯から、前記基礎床、前記支持部および前記擬似歯を溶融させて空隙を形成し、前記空隙に成形用樹脂を充填して、前記基礎床および前記支持部を義歯床とし、前記擬似歯を人工歯とした義歯を一体成形する工程とを含むことを特徴する。
【００２９】
この製造方法により、基礎床および支持部が義歯床となり、擬似歯が人工歯となった義歯を一体成形することができるため、簡易な義歯を、迅速に作製することができる。
【発明の効果】
【００３０】
本発明は、熱軟化性の突起部であれば、突起部は加熱されやすく軟化しやすいので、加熱すればすぐに咬合状態を咬合部に記録させることができ、軟化状態の突起部であれば、突起部はそのままの状態で咬合状態を咬合部に記録させることができるので、効率よく咬合採得が実施でき、前歯でも臼歯でも適用することができると共に、総義歯でも部分義歯でも適用することができる。
【図面の簡単な説明】
【００３１】
【図１】本発明の実施の形態１に係る上顎用の咬合採得用義歯を示す斜視図である。
【図２】本発明の実施の形態１に係る下顎用の咬合採得用義歯を示す斜視図である。
【図３】図２に示す下顎用の咬合採得用義歯の擬似歯を示す斜視図である。
【図４】上顎用の咬合採得用義歯の製造方法を説明するための図であり、印象模型の形状に基礎床成形用材料を転写した状態を示す斜視図である。
【図５】図６に続く上顎用の咬合採得用義歯の製造方法を説明するための図であり、基礎床に既成蝋堤用ワックスを配置した状態を示す図である。
【図６】図１に示す上顎用の咬合採得用義歯の断面図である。
【図７】本発明の実施の形態１に係る咬合採得用義歯の咬合採得用人工の変形例を示す斜視図であり、（Ａ）は切歯を示す図、（Ｂ）は臼歯を示す図である。
【図８】本発明の実施の形態２に係る下顎用の咬合採得用義歯を示す斜視図である。
【図９】本発明の実施の形態２に係る下顎用の咬合採得用義歯の第１変形例を示す斜視図である。
【図１０】本発明の実施の形態２に係る下顎用の咬合採得用義歯の第２変形例を示す斜視図である。
【図１１】本発明の実施の形態３に係る上顎用の咬合採得用義歯と下顎用の咬合採得用義歯とを噛み合わせ、咬合採得を記録した状態の正面図である。
【発明を実施するための形態】
【００３２】
（実施の形態１）
本発明の実施の形態１に係る咬合採得用義歯について図面に基づいて説明する。本実施の形態１では、咬合採得用義歯の装着者が上顎および下顎ともに無歯顎の状態で、総義歯を作製する場合に使用される咬合採得用義歯を例に説明する。
【００３３】
図１に示す咬合採得用義歯１０と、図２に示す咬合採得用義歯２０とは、義歯を作製する際に、装着者の咬合状態を記録するためのものである。図１に示す咬合採得用義歯１０は、上顎用である。図２に示す咬合採得用義歯２０は、下顎用である。
咬合採得用義歯１０，２０は、基礎床１１，２１と、咬合部１２，２２とを備えている。
【００３４】
基礎床１１，２１は、装着者から採取した印象模型Ｍ１，Ｍ２に基づいて形成される。基礎床１１，２１は、基礎床成形用材料により成形することができる。基礎床成形用材料としては、例えば、脱ろうのときに残留する即時重合レジンなどによる床成形用樹脂材や、脱ろうのときに溶融する水溶性樹脂材またはパラフィンワックスなどが使用できる。
【００３５】
咬合部１２，２２は、基礎床１１，１２に配置された第２部分である支持部１２ａ，２２ａと、支持部１２ａ，２２ａにより立設された第１部分である擬似歯１２ｂ，２２ｂとを備えている。
【００３６】
咬合部１２，２２を形成する材料としては、常温で固体となり、加熱により軟化する熱軟化性を有するものであれば使用できる。例えば、パラフィンワックス、中性脂肪、高級脂肪酸、炭化水素など融点の高い油脂状のものが使用できる。また、熱可塑性レジンなどの高分子材料が使用できる。
更に、咬合部１２，２２を形成する材料としては、常温では軟化状態で、化学反応により硬化するものであれば使用できる。例えば、反応硬化性を有するシリコーン樹脂や即時重合レジン、光硬化性を有する光重合レジン、水反応硬化性を有するセメントや石膏、粘土などにより形成することができる。
【００３７】
本実施の形態１では、咬合部１２，２２は、パラフィンワックスで形成されている。この咬合部１２，２２を形成するパラフィンワックスは加熱により軟化するが、擬似歯１２ｂ，２２ｂ（第１部分）は、支持部１２ａ，２２ａ（第２部分）より軟化性が高いものが採用されている。
支持部１２ａ，２２ａ（第２部分）は、肌色、ピンク、赤色等の歯肉を模した色とするのが望ましい。擬似歯１２ｂ，２２ｂは、白色系の歯牙を模した色とするのが望ましい。また、擬似歯１２ｂ，２２ｂは、咬合採得のために、部分的、あるいは全部を、白色以外の所望の色としてもよい。
【００３８】
擬似歯１２ｂ，２２ｂは、欠損歯牙に対応させて本数が決定されるが、咬合採得用義歯１０，２０が総義歯を作製するためのものであるため、左右にそれぞれ１番（中切歯）から７番（第２大臼歯）まで備えている。
擬似歯２２ｂは、例えば、図３に示すように全て繋がった状態とすることができる。擬似歯２２ｂは、成形型により一体成型により形成したり、アーチ状部材から切削加工により削り出して形成したりすることができる。図３では、下顎用の擬似歯２２ｂを図示しているが、上顎用も同様にすることができる。
【００３９】
以上のように構成された本発明の実施の形態１に係る咬合採得用義歯１０，２０を用いた義歯の製造方法および咬合採得用義歯１０，２０の使用状態について図面に基づいて説明する。なお、以下の説明では、上顎用の咬合採得用義歯１０を例に説明する。
【００４０】
まず、歯科医院にて、有床義歯を装着する装着者の口腔から凹型となる印象模型が採取され、この凹型から凸型となる印象模型が作製され、歯科技工所に送付される。歯科技工所では、歯科技工士が、凸型の印象模型から、再度、凹型を作製して、更に、この凹型から図１に示す咬合採得用義歯１０を作製するための印象模型Ｍ１を作製する。このとき、歯科技工士は、印象模型Ｍ１にブロックアウトまたはリリーフして、基礎床が装着者の口腔内に直接接触すると傷になるおそれのある部位を、パラフィンワックスなどで封鎖する。
【００４１】
次に、歯科技工士は、印象模型Ｍ１を用いて基礎床１１を作製する。この基礎床１１は、従来の手法により作製することができる。
まず、歯科技工士は、軟化状態の基礎床成形用材料を、印象模型Ｍ１に手作業で貼り付け、印象模型Ｍ１のうち義歯床となる範囲を覆う形状に成形し、硬化させる。この際、貼り付けた基礎床成形用材料は、義歯床の厚みと同様の厚みとする。
印象模型Ｍ１上で基礎床成形用材料が硬化すると、歯科技工士は印象模型Ｍ１から基礎床成形用材料を取り外し、床外形をハンドピースやレーズを用いて成形し整える。このようにして基礎床１１を作製する。
なお、本実施の形態１では、軟化状態の基礎床成形用材料を印象模型に手作業で貼り付け、硬化させて、基礎床１１を成形しているが、印象模型Ｍ１を成形型として、プレート状の床成形用樹脂板を加熱し、印象模型Ｍ１にプレス加工して、基礎床１１を作製してもよい。
【００４２】
基礎床１１が作製できると、歯科技工士は、歯科技工所で作製された凹型から、再度、印象模型Ｍ１を作製し、この印象模型Ｍ１に、図４に示すように、基礎床１１を被せる。次に、歯科技工士は、基礎床１１の歯列位置に、支持部１２ａとなる堤状部材を配置する。この堤状部材は、例えば、図５に示すように、アーチ状のパラフィンワックスによる既成蝋堤用ワックス６１が使用できる。そして、歯科技工士は、既成蝋堤用ワックス６１に、図３に示す擬似歯１２ｂを配置する。
【００４３】
擬似歯１２ｂをアーチ状の既成蝋堤用ワックス６１に配置するときには、まず、擬似歯１２ｂの歯根部分が収納される既成蝋堤用ワックス６１の唇側、頬側を削る。次に、擬似歯１２ｂを配置して、擬似歯１２ｂの歯根部分を既成蝋堤用ワックス６１により覆い、擬似歯１２ｂを既成蝋堤用ワックス６１に立設すると共に、既成蝋堤用ワックス６１の下部を基礎床１１に拡げ、境目が視認できないようにする。このようにして、図６に示す咬合採得用義歯１０を作製する。
【００４４】
上記説明では、上顎用の咬合採得用義歯１０の製造方法を説明したが、図２に示す下顎用の咬合採得用義歯２０も同様にして作製することができる。咬合採得用義歯２０を作製する場合には、基礎床２１を形成するときに、舌部分をＵ字状に切断して除去することで、アーチ状の基礎床２１を作製することができる。
【００４５】
咬合採得用義歯１０，２０が作製できると、歯科技工士は、この咬合採得用義歯１０，２０を歯科医院に納品する。
歯科医師は、装着者となる患者の口腔内に、咬合採得用義歯１０を装着させる。次に、咬合採得用義歯１０，２０の擬似歯１２ｂ，２２ｂの歯冠部を加熱して軟化させる。従来の咬合採得用義歯の咬合堤に相当する擬似歯１２ｂ，２２ｂがそれぞれに突起部として出っ張っており、隣接する擬似歯１２ｂ，２２ｂとの間に凹部があるため、擬似歯１２ｂ，２２ｂの歯冠部は加熱されやすく軟化しやすい。従って、歯科医師は、患者への咬合採得をすぐに実施することができる。よって、咬合採得用義歯１０，２０は、前歯でも臼歯でも、効率よく咬合採得が実施できる。
【００４６】
また、擬似歯１２ｂ，２２ｂが常温で軟化状態となるものを使用すれば、そのままの状態で、歯科医師は、患者への咬合採得をすぐに実施することができる。
また、擬似歯１２ｂ，２２ｂは支持部１２ａ，２２ａより軟化性が高いため、歯科医師は擬似歯１２ｂ，２２ｂを容易に軟化させることができる。
【００４７】
更に、患者は、咬合堤に相当する咬合採得用義歯１０，２０の擬似歯１２ｂ，２２ｂが歯牙を模しているため、総義歯を装着したときの印象を持つことができる。また、患者は、咬合面に凹凸が形成された擬似歯１２ｂ，２２ｂを噛み合わせるため、既成蝋堤用ワックスにより形成された咬合面が平坦面の咬合堤と比較して、患者を噛み合わせ位置に誘導させやすい。
【００４８】
患者が噛み合わせをすると、擬似歯１２ｂ，２２ｂの軟化した歯冠部同士が咬合状態に応じて変形することで、咬合採得用義歯１０，２０に装着者の咬合状態が記録される。また、歯科医師が、正中や咬合平面の位置を、擬似歯１２ｂ，２２ｂの唇側に印記することで、咬合採得用義歯１０，２０に装着者の咬合状態を記録する。
【００４９】
なお、本実施の形態１では、擬似歯１２ｂ，２２ｂがパラフィンワックスで形成されているが、擬似歯１２ｂ，２２ｂが、中性脂肪や高級脂肪酸、炭化水素など融点の高い油脂状のもの、熱可塑性レジンなどの高分子材料などで形成されていても、同様にして、熱軟化させ、咬合採得した後に、自然放置により冷却することで、咬合状態を記録することができる。
【００５０】
更に、擬似歯１２ｂ，２２ｂが、常温で軟化状態である、シリコーン樹脂や即時重合レジンであれば、咬合採得した後に、化学重合により硬化させる。また、擬似歯１２ｂ，２２ｂが、光重合レジンであれば、光を照射して光硬化させる。更に、擬似歯１２ｂ，２２ｂが、セメントや石膏、粘土であれば、自然放置により硬化させることができる。
【００５１】
このようにして、咬合採得用義歯１０，２０に患者の咬合状態が記録されると、咬合採得用義歯１０，２０は歯科技工所へ送付される。歯科技工所では、歯科技工士が、咬合採得用義歯１０，２０を咬合器に装着する。
そして、擬似歯１２ｂ，２２ｂの噛み合わせを見ながら、支持部１２ａ、２２ａの高さや厚みを調整しつつ、擬似歯１２ｂ，２２ｂを、レジン歯や陶歯などの硬質の義歯用の人工歯に入れ替える。
【００５２】
擬似歯１２ｂ，２２ｂが人工歯に入れ替わると、その後の工程として、従来の工程と同様の工程を実施することにより、総義歯を作製することができる。
まず、人工歯が支持部１２ａ、２２ａに支持された基礎床１１，２１を、石膏を充填した下部フラスコに置き、埋没させるための石膏を上から充填して、対となる上部フラスコ（図示せず）により蓋をする。
【００５３】
次に、歯科技工士は、一対のフラスコを加熱炉に入れ、加熱することで脱ろうする。基礎床１１，２１が水溶性樹脂材またはパラフィンワックスなどの基礎床成形用材料によるものであり、支持部１２ａ，２２ａがパラフィンワックスによるものであれば、脱ろうの際に、支持部１２ａ，２２ａだけでなく、基礎床１１，１２も溶融する。この溶融により、基礎床１１，１２および支持部１２ａ，２２ａの形状の空隙が、フラスコの石膏内に形成されるため、歯科技工士は、この空隙に、歯肉部となる成形用樹脂を充填することで、義歯床を成形する。
【００５４】
また、基礎床１１，２１が即時重合レジンなどによる基礎床成形用材料によるものであれば、脱ろうの際に、支持部１２ａ，２２ａだけが溶融して基礎床１１，２１は溶融せず、そのまま残留する。そのため、フラスコの石膏を型開きし、基礎床１１，２１を除去することで、石膏内に、支持部１２ａ，２２ａの空隙と共に、基礎床１１，１２の空隙を形成し、歯科技工士は、この空隙に、歯肉部となる成形用樹脂を充填することで、義歯床を成形する。
【００５５】
更に、基礎床１１，２１がプレート状の床成形用樹脂板によるものであれば、脱ろうの際に、支持部１２ａ，２２ａだけが溶融して、基礎床１１，２１は溶融せず、義歯床として残る。歯科技工士は、支持部１２ａ，２２ａの形状の空隙に、歯肉部となる成形用樹脂を充填することで、基礎床１１，２１と充填した樹脂とによる義歯床を成形する。
【００５６】
そして、歯科技工士は、成形用樹脂の種類に応じた方法により硬化させる。例えば、樹脂が化学重合型であれば常温で重合させる。また、加熱重合型であれば加熱により重合させる。歯肉部となる樹脂が硬化すると、総義歯を得ることができる。
このような製造工程にて、総義歯を作製することにより、装着者にフィットした総義歯を得ることができる。
【００５７】
上記義歯の製造方法では、咬合採得が完了した咬合採得用義歯１０，２０の擬似歯１２ｂ，２２ｂは、人工歯に置き替えられて義歯が作製されているが、擬似歯１２ｂ，２２ｂをそのままの状態で、フラスコに埋没させて義歯を作製することもできる。
【００５８】
その場合、擬似歯１２ｂ，２２ｂが、パラフィンワックスや、中性脂肪、高級脂肪酸、炭化水素など融点の高い油脂状のもの、または熱可塑性レジンなどの高分子材料とすると、脱ろうの際に、基礎床１１，１２および支持部１２ａ，２２ａと共に、擬似歯１２ｂ，２２ｂを溶融させることができる。
【００５９】
この溶融により、基礎床１１，１２、支持部１２ａ，２２ａおよび擬似歯１２ｂ，２２ｂの形状の空隙が、フラスコの石膏内に形成されるため、歯科技工士は、この空隙に、歯肉部となる成形用樹脂を充填することで、基礎床１１，１２および支持部１２ａ，２２ａを義歯床とし、擬似歯１２ｂ，２２ｂを人工歯とした義歯を一体成形することができる。
【００６０】
基礎床１１，１２および支持部１２ａ，２２ａの形状の空隙による義歯床と、擬似歯１２ｂ，２２ｂの形状の空隙による人工歯とによる義歯を一体成形する際に、基礎床１１，１２および支持部１２ａ、２２ａに対応する部分を、歯肉を模した色の成形用樹脂で成形し、疑似歯１２ｂ、２２ｂに対応する部分を、歯牙を模した色の成形用樹脂で成形することもできる。また、希望によって他の色で成形することも可能である。
更に、咬合部（擬似歯１２ａ、２２ｂ）に対応する部分を硬い成形用樹脂で、基礎床１１，１２および支持部１２ａ，２２ａに対応する部分については、咬合部に比してやわらかい成形用樹脂を使用することができる。そうすることで、咬合部にて食物を咀嚼する際の咬合力を受け止め、なおかつやわらかい粘膜面に比較的やわらかい成形用樹脂が接触することで、装着者の満足を向上させることができる。
【００６１】
このようにして義歯を作製することで、擬似歯１２ｂ，２２ｂを人工歯に置き替える作業が不要であり、人工歯に置き替えた後の調整が歯科医師と歯科技工士との間で不要であるため、手間とコストを抑えることができる。従って、この義歯の製造方法によれば、簡易な義歯を迅速に作製することができる。
【００６２】
また、咬合採得用義歯１０，２０は、見た目が、総義歯と全く同じとなるため、遺体に装着する遺体用義歯としても使用できる。
咬合採得用義歯１０，２０を遺体用義歯として遺体に装着することで、義歯床（基礎床）をパラフィンワックス製または樹脂製により形成し、擬似歯１２ｂ，２２ｂをパラフィンワックスにより形成すれば、火葬の際に咬合採得用義歯１０，２０全部を火葬にて燃焼させることができる。
従って、咬合採得用義歯１０，２０は、葬儀の際に、親族や参列者から見送られる遺体の審美性を生前時のまま維持することができ、火葬の際にも遺体に装着した状態で弔うことができる。
【００６３】
このように、歯牙形状を模した擬似歯１２ｂ，２２ｂを、パラフィンワックスや、中性脂肪、高級脂肪酸、炭化水素など融点の高い油脂状のもの、また、熱可塑性レジンなどの高分子材料により形成することで、擬似歯１２ｂ，２２ｂは、咬合採得用義歯１０，２０として好適に用いられるだけでなく、模造義歯として、実際の有床義歯と見栄えが変わらないものとすることができる。
【００６４】
この歯肉部となる樹脂は、プレート状の床成形用樹脂板をプレス加工して基礎床１１，２１を成形した場合には、基礎床１１，２１が最後まで残り、義歯床となるため、基礎床１１，２１と親和性の高いものとするのが望ましい。親和性が高いと、歯肉部となる樹脂が硬化したときに、基礎床１１，２１と一体化して歯肉部と基礎床１１，２１との境目の区別をつきにくくすることができる。
【００６５】
なお、本実施の形態１では、図６に示すように、上顎用では、支持部１２ａを第２部分とし、擬似歯１２ｂを第１部分とし、下顎用では、図２に示すように、支持部２２ａを第２部分とし、擬似歯２２ｂを第１部分として、異なる軟化性を有するものを使用している。これにより、軟化しやすい第１部分（擬似歯１２ｂ，２２ｂ）を第２部分（支持部１２ａ，２２ａ）により、しっかりと下支えさせることができる。
【００６６】
しかし、擬似歯１２ｂ，２２ｂの歯冠部を第１部分とし、歯冠部以外の歯根部と、支持部１２ａ，２２ａとを第２部分とすることも可能である。このように擬似歯１２ｂ，２２ｂを構成しても、軟化しやすい第１部分（擬似歯１２ｂ，２２ｂの歯冠部）を第２部分（擬似歯１２ｂ，２２ｂの歯根部）によりしっかりと支持させることができる。
【００６７】
擬似歯１２ｂ，２２ｂは、歯列全部を第１部分することができるが、歯列の一部を第１部分、残りを第２部分とすることもできる。また、上顎用の擬似歯１２ｂの歯列の一部を第１部分とするときには、第１部分とした擬似歯１２ｂに合わせて、擬似歯１２ｂに咬合する下顎用の擬似歯２２ｂを第１部分とすることができ、他の擬似歯２２ｂを第２部分とすることができる。
【００６８】
更に、第１部分と第２部分とを異なる色とすることも可能である。そうすることで、歯科医師は、軟化性の高い部分を一目で判別することができる。
【００６９】
（実施の形態１に係る咬合採得用義歯の擬似歯の変形例）
本発明の実施の形態１に係る咬合採得用義歯の擬似歯の変形例について図面に基づいて説明する。
本実施の形態１に係る咬合採得用義歯は、擬似歯の咬合面に凹凸部に形成されていることを特徴とするものである。
【００７０】
図７（Ａ）は、上顎用の咬合採得用義歯の擬似歯１２ｍである。擬似歯１２ｍは切歯として形成されている。図７（Ｂ）は、下顎用の咬合採得用義歯の擬似歯２２ｍである。擬似歯２２ｍは臼歯として形成されている。
擬似歯１２ｍ，２２ｍの歯冠部の咬合面は、凹凸状に形成されている。特に、本実施の形態２に係る擬似歯１２ｍ，２２ｍでは、咬合面が細い針状の凸部１２ｎ，２２ｎが剣山のように林立した状態に形成されている。
【００７１】
このように、本実施の形態２に係る咬合採得用義歯は、突起部として、擬似歯１２ｍ，２２ｍが形成され、更に擬似歯１２ｍ，２２ｍ
ていることで、擬似歯１２ｍ，２２ｍの歯冠部は加熱されやすく軟化しやすい。従って、歯科医師は、患者への咬合採得を、実施の形態１に係る擬似歯１２ｂ，２２ｂ（図１および図２参照）より、早く行うことができる。
【００７２】
（実施の形態２）
本発明の実施の形態２に係る咬合採得用義歯を図面に基づいて説明する。
本実施の形態２に係る咬合採得用義歯は、基礎床に配置された咬合堤の咬合面に、突起部として、連続的に凹凸部が形成されていることを特徴とするものである。
なお、本実施の形態２では、下顎用の咬合採得用義歯を例に説明するが、上顎用の咬合採得用義歯も同様である。
【００７３】
図８に示すように、咬合採得用義歯２０１は、基礎床２１に、咬合部２２１が設けられている。咬合部２２１は、アーチ状の咬合堤２３の咬合面２３ｓに、凹凸部２３ａが形成されている。
咬合堤２３は、熱軟化性または軟化状態の堤状部材とすることができ、例えば、実施の形態１にて用いた既成蝋堤用ワックスが使用できる。また、咬合堤２３は、既成のものを使用せず、パラフィンワックスをアイロンや鏝などで成形して盛り上げて成形してもよい。また、咬合堤２３は、パラフィンワックス以外に、実施の形態１の咬合部２２と同様の材料が使用できる。
【００７４】
この凹凸部２３ａは、咬合堤２３の咬合面２３ｓ全体に連続的に形成されている。特に、本実施の形態２の咬合堤２３の咬合面２３ｓは、細い針状の凸部２３ｔが剣山のように林立した状態に形成されている。この凹凸部２３ａは、押型により形成したり、へらを咬合面２３ｓに突き立て、引き起こすことで形成したり、細い針状の凸部２３ｔ以外の余分な部分を削り取って形成したりすることができる。このように咬合堤２３に凹凸部２３ａが形成されているため、凹凸部２３ａは加熱されやすく軟化しやすいので、歯科医師は、患者への咬合採得をすぐに実施することができる。
【００７５】
咬合堤２３は、突起部である凹凸部２３ａが形成された咬合面２３ｓに露出する第１層を第１部分２３ｕとし、基礎床２１側の第２層を第２部分２３ｖとして、上下に２層に分け、軟化性を変えてもよい。
第１部分２３ｕは第２部分２３ｖより軟化性が高いため、歯科医師は第１部分２３ｕの凹凸部２３ａが形成された咬合面２３ｓを容易に軟化させることができる。
また、この第１部分２３ｕと第２部分２３ｖとは、異なる色とすることも可能である。そうすることで、歯科医師は、軟化性の高い部分を一目で判別することができる。
【００７６】
（実施の形態２の第１変形例）
本発明の実施の形態２に係る咬合採得用義歯の第１変形例を図面に基づいて説明する。
本実施の形態２に係る咬合採得用義歯の第１変形例は、アーチ状の歯列を分割するように第１部分と第２部分とを咬合部に形成するようにして、軟化性を変えている。
【００７７】
図９に示すように、例えば、咬合部２２２は、患者の臼歯に対応する咬合堤２３の位置を第１部分２３ｕとし、この第１部分２３ｕ以外の切歯に対応する咬合堤２３の位置を第１部分２３ｕとすることもできる。そうすることで、歯科医師が、咬合採得用義歯２０２を患者に装着するときに、切歯に対応する咬合堤２３の位置を把持しても、第１部分２３ｕより硬質な第２部分２３ｖは型崩れし難い。また、歯科医師が正中や咬合平面を印記する際には、咬合堤２３の唇側に位置する第２部分２３ｖに印記する。そのため、第１部分２３ｕより硬度のある第２部分２３ｖに印記することで、歯科医師は、第２部分２３ｖに、しっかりとした正確な印記することができる。
このような場合においても、第１部分２３ｕと第２部分２３ｖとは、異なる色とすることも可能である。
【００７８】
（実施の形態２の第２変形例）
本発明の実施の形態２に係る咬合採得用義歯の第２変形例を図面に基づいて説明する。
実施の形態２では、咬合堤２３の咬合面２３ｓの全部に凹凸部２３ａが形成されていたが、本実施の形態２に係る咬合採得用義歯の第２変形例は、咬合堤の咬合面の一部に凹凸部が形成されている。
【００７９】
図１０に示すように、咬合採得用義歯２０３は、凹凸部２３ａが、例えば、患者の臼歯に対応する咬合堤２３の位置に形成されており、これ以外の切歯に対応する咬合堤２３の位置は平坦面である。そうすることで、歯科医師は、臼歯に対応する咬合堤２３の位置での咬合採得を、すぐに実施することができる。
【００８０】
この咬合採得用義歯２０３の咬合堤２３による咬合部２２３においては、第１部分２３ｕが口腔内側である舌側および口蓋側に形成され、第２部分２３ｖが口腔外側である唇側および頬側に形成されている。この第１部分２３ｕおよび第２部分２３ｖによる咬合部２２３の分割は、凹凸部２３ａが無い前歯部分だけでなく、凹凸部２３ａが形成された臼歯部分も続いている。
このように第１部分２３ｕと第２部分２３ｖとが形成されていることで、歯科医師が正中や咬合平面を印記する際に、第１部分２３ｕより硬度のある第２部分２３ｖに印記することで、歯科医師は、しっかりとした正確な印記することができる。
【００８１】
凹凸部２３ａを、咬合堤２３の咬合面２３ｓの一部に形成したときには、この凹凸部２３ａと噛み合わせとなる上顎用の咬合採得用義歯の同じ位置にも凹凸部を形成するのが望ましい。そうすることで、
【００８２】
（実施の形態３）
本発明の実施の形態３に係る咬合採得用義歯を図面に基づいて説明する。
本実施の形態３に係る咬合採得用義歯は、実施の形態２に係る咬合採得用義歯の咬合部の唇側に目盛りが形成されていることを特徴とするものである。
【００８３】
図１１に示す上顎用の咬合採得用義歯１０１と、下顎用の咬合採得用義歯２０４とには、実施の形態２と同様に、咬合部として形成されたアーチ状の咬合堤１３，２３の咬合面に、凹凸部（図示せず）が形成されている。この咬合堤１３，２３は、既成蝋堤用ワックス６１により形成することができる。
この咬合堤１３，２３の唇側には、正中の位置が「０」で、遠心方向に「１」、「２」・・・が割り振られた垂直線による目盛り２４ａが形成されている。また、咬合堤１３，２３の唇側には、垂直線による目盛り２４ａを直交するように水平線よる目盛り２４ｂが形成されている。
【００８４】
図１１では、咬合採得用義歯１０１，２０４に咬合状態が記録された後であるため、上顎用の咬合採得用義歯１０１の正中が右方向にずれていると共に、下顎用の咬合採得用義歯２０４が咬合採得用義歯１０１に対して患者の左側を下、右側を上に傾斜している。
このように、咬合堤２３の唇側および頬側に目盛り２４ａ，２４ｂが形成されているため、患者の正中のずれや、上顎または下顎の噛み合わせの傾斜を一目で把握することができる。
なお、この目盛り２４ａ，２４ｂは、実施の形態１の擬似歯１２ｂ，２２ｂ，その変形例の擬似歯１２ｍ，２２ｍにも付与することができる。その場合、歯肉に相当する位置に目盛りを付与することができる。
【００８５】
以上、本実施の形態１〜３に係る咬合採得用義歯について説明したが、本発明は、実施の形態１〜３に限定されるものではない。本実施の形態１〜３では、総義歯を作製するための咬合採得用義歯を例に説明したが、部分義歯を作製するために、本発明は、欠損した歯牙に対応させて、部分的な基礎床に咬合部を形成して、歯列の一部の咬合状態を記録する咬合採得用義歯としてもよい。
【産業上の利用可能性】
【００８６】
本発明は、前歯や臼歯の部分義歯、または総義歯を作製する際の咬合採得に好適である。
【符号の説明】
【００８７】
１０，１０１，２０，２０１，２０２，２０３，２０４  咬合採得用義歯
１１，２１  基礎床
１２，２２，２２１，２２２，２２３  咬合部
１２ａ，２２ａ  支持部
１２ｂ，２２ｂ  擬似歯
１２ｍ，２２ｍ  擬似歯
１２ｎ，２２ｎ  凸部
１３，２３  咬合堤
２３ａ  凹凸部
２３ｓ  咬合面
２３ｔ  凸部
２３ｕ  第１部分
２３ｖ  第２部分
２４ａ，２４ｂ  目盛り
６１  既成蝋堤用ワックス
Ｍ１，Ｍ２  印象模型
【図１】
0006369858.tif 000002
【図２】
0006369858.tif 000003
【図３】
0006369858.tif 000004
【図４】
0006369858.tif 000005
【図５】
0006369858.tif 000006
【図６】
0006369858.tif 000007
【図７】
0006369858.tif 000008
【図８】
0006369858.tif 000009
【図９】
0006369858.tif 000010
【図１０】
0006369858.tif 000011
【図１１】
0006369858.tif 000012